(57)【要約】【課題】  魚がかかって取り込む際に浮き下を短く調整して取り込み操作を容易にする。【解決手段】  浮力を備えた浮き本体１、および該浮き本体に対して回動可能に設けた操作レバー２からなり、  浮き本体の一端側に釣り糸を導入する第一通路１１を設けると共に、操作レバーの回転軸に対して一方の先端を通る釣り糸の第二通路２２を設けて、釣り糸を浮き本体一端側の第一通路から操作レバーの一端の第二通路を経てガイドするようにし、  操作レバーを点線の起立せしめた状態で、その回転軸に対して他端側圧制部を浮き本体の第一通路から導入された釣り糸を狭圧して起立状態に維持するようにし、釣り糸を介して操作レバー先端に負荷がかかることにより操作レバーが梃子の作用によって倒立して、実線のように釣り糸を狭圧状態から開放して浮きを移動可能とする。【選択図】図２
2010239959.tif 000002
【特許請求の範囲】
【請求項１】
浮力を備えた浮き本体、および該浮き本体に対して回動可能に設けた操作レバーからなり、
浮き本体の一端側に釣り糸を導入する第一通路（ガイド）を設けると共に、
操作レバーにその回転軸に対して一方の先端に至る釣り糸の第二通路（ガイド）を設けて、釣り糸を浮き本体一端側の第一通路から操作レバーの先端の第二通路を経てガイドするようにし、
操作レバーを起立せしめた状態で、その回転軸に対して他端側圧制部を浮き本体の第一通路から導入された釣り糸を狭圧して起立状態に維持するようにし、
釣り糸を介して操作レバー先端に負荷がかかることにより操作レバーが梃子の作用によって倒立して、釣り糸を上記の狭圧状態から開放することを特徴とする釣り糸に沿って移動可能な浮き。
【請求項２】
上記操作レバーを上記浮き本体一方側に設けたスリット内で回転可能に配置し、
上記第一通路を浮き本体一端側から該スリット端壁に開口させて、
該操作レバーの上記回転軸に対する他端側圧制部を操作レバーの起立状態で該開口を閉塞して釣り糸を狭圧固定するようにしたことを特徴とする、請求項１記載の釣り糸に沿って移動可能な浮き。
【請求項３】
上記操作レバーを上記浮き本体に設けたスリット内で回転可能に配置し、
上記第一通路の一部に上記操作レバーの圧制部に相対する開口を設け、該操作レバーの起立時にその他端圧制部が該開口を通る釣り糸を狭圧して固定するようにしたことを特徴とする、請求項１記載の釣り糸に沿って移動可能な浮き。
【請求項４】
上記第一通路の開口部に釣り糸を相通するゴムチューブ等の軟性材料を配置し、該軟性材料を介して操作レバー圧制部を挟圧せしめることを特徴とする請求項３記載の釣り糸に沿って移動可能な浮き。
【発明の詳細な説明】
【技術分野】
【０００１】
本発明は、釣りに使用する浮きに関し、特にリールにより釣り糸を巻き取って釣れた魚を取り込む際に竿先から先の仕掛けの長さを短く巻き取って、取り込み操作を容易にする浮きに関する。
【背景技術】
【０００２】
魚釣りは、古くから人々の生活に密着した技術であるが、現代人にとって趣味・娯楽として広く親しまれている。
釣りのジャンルは、自然に親しむ磯釣り、川釣り、あるいは管理釣り場による釣りなど、環境条件に応じたさまざまな態様がある。これらの釣りに用いられる用具は、釣りのジャンルにより、また、釣りの環境条件や対象となる魚の習性など、永年の釣り人の経験に基づき、工夫を凝らして構築した歴史があり、なかでも浮きはその典型的なものといえる。
浮きは、美的な趣向を凝らした工夫のほか、機能に応じてその形状、構造に多様なものがあり、それらの細部には魚の習性や釣りの条件に応じた工夫がなされている。
【０００３】
浮きの機能は、餌を着けた仕掛けを水面から魚の遊泳層に合わせた深さに沈めていわゆる棚取りをおこなうものであるが、海釣、磯釣りでは、魚種によって水深が深く、荒磯など足場から潮の流れに合わせて沖に出して水深のあるポイントを探り、また足元直下から水深のあるポイントとなるため、浮きから仕掛けまでのいわゆる浮き下が長くなる。
この状態を図７に示す。魚が釣れるまでの状態は図７の上図のように竿７のリールから繰り出されて竿先から延長した釣り糸４は、浮き７３上下にそれぞれ上下段浮き止め７２、５を取り付けて浮き下をポイントの水深に応じた棚に合わせて設定し、ポイントに仕掛けを投入する。
魚がかかって、リールにより釣り糸を巻き取ると浮きの上段浮き止め７２が竿先のガイドに当接して、釣り糸はその位置までしか巻き取れず、一方、逸走する魚の重さで竿は大きく撓り、浮き下が長い場合、すなわち水深が深い場合には魚を手元まで引き寄せることが困難になる。
このため、仕掛けを投入するときはよいが、一旦魚がかかって取り込む際には、これら磯釣りなどの対象とする引きが強く、重量のある魚体を取り込むには、長い浮き下に応じてそれだけ柄の長いタモ網を操作する必要があり、また、磯は足場として不安定であるばかりでなく、鋭い牡蠣殻やふじつぼなどが付着しているため取り込みの際に釣り糸が触れると、切断される虞があり、このような磯場での取り込みは難事であった。
【先行技術文献】
【特許文献】
【０００４】
【特許文献１】特開２００２−２２３６８３号公報
【特許文献２】特開２００４−１８７５５８号公報
【発明の開示】
【発明が解決しようとする課題】
【０００５】
本発明は、ポイントの水深によって必要とされる仕掛けまでの長い浮き下の長さを、このような取り込み時に任意に短縮させて、取り込み操作を容易にすることを課題とする。
【課題を解決するための手段】
【０００６】
本発明は、浮きとして必要な視認性と浮力等を備えた浮き本体に対して、該浮き本体に沿ってスライドして移動可能にガイドされた釣り糸を、
該本体に回転軸を介して起倒可能に操作レバーを設け、該レバーを起して浮き本体に沿ってガイドされた釣り糸を浮き本体に対して挟圧して固定することにより、釣り糸の任意の位置に浮きを固定し、魚が釣れて巻き取りするなどして該操作レバー先端を経て仕掛けに至る釣り糸に一定以上の負荷がかかると、該操作レバーが梃子の原理で倒れて浮き本体との間に狭圧固定していた釣り糸を開放し、釣り糸が浮き本体に対してスライド移動可能となって浮きが釣り糸に沿って下降し、釣り糸を取り込みに容易となるよう仕掛けまでの長さを短くして巻き取ることが可能となる。
【発明の効果】
【０００７】
本発明の浮きは、仕掛けをポイントの深さに合わせて浮き下を設定し、魚がかかって負荷がかかると浮きが釣り糸に沿って下降して移動し、取り込みを容易に行うことができる。
【発明を実施するための最良の形態】
【０００８】
〔実施例１〕
本発明の具体的構成を以下、図面によって説明する。
図１は本発明の浮きを釣り糸に固定した状態、図２は浮きに固定した釣り糸を操作レバーが倒立して開放する作動説明図、図３は開放された釣り糸に沿って浮きが下段浮きとめ５の位置まで下降した状態をそれぞれ示す。
図において、浮きは本体１、操作レバー部２とから構成される。
本体１は、浮力を調整する錘３が仕込まれ、その中心を貫通して釣り糸をガイドして通す第一通路１１を設ける。
これに対して操作レバー２は、本体１の一方側（仕掛けをセットする側）を切り欠き、あるいはスリットを設けて本体１に対して軸周りに一定範囲回転可能に設置され、釣り糸をガイドする第二通路２２を第一通路に相対して設けると共に、本体側に相対する面を本体側の端壁面に沿った形状とし、該レバーを起こす方向に向けて曲面からなる圧制部２１に成形して、その起立した状態で図１に示すように端面の圧制部２１で浮き本体の第一通路の開口を閉塞し、同時に浮き本体壁面を押圧することにより固定される。
この状態では、竿を振って仕掛けを投入するなど軽度の負荷をかけても、操作レバーと本体端面との間に働く押圧力と摩擦力により、レバーは倒れることなく固定された状態を維持するため、挟持した釣り糸を開放することはない。
【０００９】
魚が掛かると、合わせをかけたり、竿を立てる操作に伴って釣り糸は強く引かれ、レバー先端にこの引っ張りによる負荷がかかるため、操作レバーは梃子の原理で図２の点線に示す起立状態から、実線に示す倒れた状態となり、本体側の端面に沿った面がストッパーとなって本体の第一通路と操作レバーの第二通路とが一直線上に位置した実線の状態となり、釣り糸は抵抗なくこれらの通路内を移動できるため、浮きは釣り糸に沿って移動し、図３に示すように魚の取り込みの際には止め５の位置まで降下して竿先から仕掛けまでの間隔が短縮されるので、取り込み操作を容易に行うことができる。
【００１０】
〔実施例２〕
図４〜図６は本発明の他の実施例であって、
浮き本体１の一方側にスリットを設けて該スリット内に操作レバー２を回転可能に配置している。
浮き本体１に対して操作レバーを起立せしめてその回転軸を介して反対側の圧制部２１を浮き本体に当接してロックする構成は、先の実施例と同様であるが、釣り糸をガイドする第一通路は該スリット内で途中に開口しており、この開口部で釣り糸はゴムチューブなどの軟性材料６内を挿通されている。
操作レバーを起立させると、その圧制部２１がこの開口部のゴムチューブを介して釣り糸を狭圧し、圧制部に形成された平坦部でその起立状態を維持する。図の例ではゴムチューブ等の軟性材料全体に狭圧作用が均一に作用すると共にゴムチューブの脱落を防止するため操作レバーの当接面に部材を配置している。
図４は、操作レバーを起立させて釣り糸を狭持して仕掛けをセットした状態で、この状態で仕掛けをポイントに投入しても、その軽い負荷では釣り糸は固定された状態を維持し、浮き下は予めセットされた深さを保つ。
【００１１】
図５は、魚が釣れて操作レバー先端に負荷がかかり、操作レバーが梃子の原理により点線に示す状態から実線に示すように倒立し、圧制部による釣り糸の狭圧、固定状態からゴムチューブが開放されてその弾力により復元し、釣り糸が開放された状態を示す。
この状態において、釣り糸は浮き本体の第一通路と操作レバーの第二通路とが一直線となり、釣り糸は自由に移動することができるようになる。
この状態でリールによって釣り糸を巻き取ると図６に示すように、釣り糸は止め５の位置まで巻き取られて、竿先から先の釣り糸の長さが短縮され、容易に魚を取り込むことができるようになる。
このときの状態を図８の上図及び下図により示す。
【００１２】
以上の本発明の実施例において、浮き本体の形状や構造について格別の制約はなく、実施例１に示すような長めの全体形状であっても、また実施例２に示すような丸い形状であっても、本発明の適用に支障はない。
操作レバーについても、浮き本体に対して回転可能とされて起立状態でその一端の圧制部が浮き本体に当接して固定されると共に倒立してその固定状態から開放されて、浮き本体との間で狭圧固定していた釣り糸を開放すること、
およびその先端から仕掛け側に向けて延長する釣り糸に荷重がかかって引っ張られることにより、操作レバーに梃子の作用が働いてその起立状態から倒立するという機構が働けばよいのであって、これらの釣り糸の配置や第一通路および第二通路による釣り糸のガイド構造は、これらの浮き本体と操作レバーとの機構が働く限り、適宜に選択、変更して構わない。
【産業上の利用可能性】
【００１３】
本発明の釣りの浮きは、上記したとおり簡単な構造であって、その機能は確実に発揮されるものであるから、その用途において広く普及が図られ、産業上利用性が高いものである。
【図面の簡単な説明】
【００１４】
【図１】本発明の浮きの実施例において、釣り糸を適宜の位置で固定した状態を示す。
【図２】本発明の浮きに実施例において、釣り糸を固定した状態から、負荷がかかって操作レバーが倒れ、釣り糸をスライド移動可能となる状態を示す。
【図３】本発明の浮きに実施例において、操作レバーが倒されて釣り糸が固定状態から開放され、浮きが釣り糸に対して移動可能とされた状態を示す。
【図４】本発明の他の実施例において、釣り糸を適宜の位置で固定した状態を示す。
【図５】本発明の他の実施例において、釣り糸を固定した状態から、負荷がかかって操作レバーが倒れ、釣り糸をスライド移動可能となる状態を示す。
【図６】本発明の他の実施例において、操作レバーが倒されて釣り糸が固定状態から開放され、浮きが釣り糸に対して移動可能とされた状態を示す。
【図７】従来の仕掛けにおける取り込み操作説明図。
【図８】本発明の浮きを使用した取り込み操作説明図。
【符号の説明】
【００１５】
１    浮き本体
２    操作レバー
３    錘
４    釣り糸
５    下段浮き止め
６    ゴムチューブ
７    釣り竿
１１  第一通路（第一ガイド）
２１  圧制部
２２  第二通路（第二ガイド）
【図１】
2010239959.tif 000003
【図２】
2010239959.tif 000004
【図３】
2010239959.tif 000005
【図４】
2010239959.tif 000006
【図５】
2010239959.tif 000007
【図６】
2010239959.tif 000008
【図７】
2010239959.tif 000009
【図８】
2010239959.tif 000010